【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
可撓性支持部材と、
前記支持部材によって担持された第１の電極と、
前記支持部材によって担持された第２の電極と、
前記支持部材によって把持され、前記第１の電極及び前記第２の電極の少なくとも１つと接触する電気リードと、
前記支持部材から外側に延び、前記リードを少なくとも部分的に格納するチューブを含み、さらに、前記支持部材によって少なくとも部分的に受け取られるケーブル端部を含むケーブルと、を有することを特徴とする埋め込み式電極アセンブリ。
【請求項２】
前記第１の電極は、前記ケーブル端部から第１の距離に位置決めされ、前記第２の電極は、前記ケーブル端部から第２の距離に位置決めされ、前記第２の距離は、前記第１の距離よりも短く、前記リードは、前記ケーブル端部から前記第１の電極まで延び、次に、前記第１の電極から前記第２の電極まで延びている、請求項１に記載の埋め込み式電極アセンブリ。
【請求項３】
前記リードは、第１のリードであり、前記リードは、前記第１の電極及び前記第２の電極に接続され、
前記アセンブリは、さらに、
前記支持部材により把持された第３の電極と、
前記支持部材により把持された第４の電極と、
前記支持部材により把持されると共に前記第１のリードから絶縁される第２の電気リードであって、前記第２のリードは、前記第３の電極及び前記第４の電極に接触し、前記第３の電極は、前記ケーブル端部から第３の距離に位置決めされ、前記第４のリードは、前記ケーブル端部から第４の距離に位置決めされ、前記第４の距離は、前記第３の距離よりも小さく、前記第２のリードは、前記ケーブル端部から前記第３の電極まで延び、次に、前記第３の電極から前記第４の電極まで延びる、請求項２に記載の埋め込み式電極アセンブリ。
【請求項４】
前記リードは、第１のリードであり、且つ、前記第１の電極と接触し、
前記アセンブリは、さらに、
前記支持部材により把持され、前記ケーブルに格納された第２のリードを有し、前記第２のリードは、前記第２の電極と接触し、前記第１のリードから絶縁される請求項１に記載の埋め込み式電極アセンブリ。
【請求項５】
前記支持部材は、対向する第２の側縁から離間した第１の側縁を有する少なくともほぼ矩形であり、
前記第１の電極は、前記ケーブルに対してほぼ横方向な且つ前記第１の側縁にほぼ平行な列に配置された複数の第１の電極を含み、前記第２の電極は、前記ケーブルに対してほぼ横方向な且つ前記第１の側縁にほぼ平行な列に配置された複数の第２の電極を含む、請求項１に記載の埋め込み式電極アセンブリ。
【請求項６】
前記第１の電極は、リードが受け取られる溝を有する表面を有する、請求項１に記載の埋め込み式電極アセンブリ。
【請求項７】
前記溝を有する前記第１の電極の前記表面は少なくともほぼ平らである、請求項６に記載の埋め込み式電極アセンブリ。
【請求項８】
前記溝を有する前記第１の電極の前記表面は少なくともほぼ湾曲している、請求項６に記載の埋め込み式電極アセンブリ。
【請求項９】
前記溝は前記第１の電極の周囲に延びる環状溝である、請求項６に記載の埋め込み式電極アセンブリ。
【請求項１０】
前記溝は第１の溝であり、前記リードは第１のリードであり、前記第１の電極は、さらに、第２の溝を有し、
前記アセンブリは、さらに、
前記第２の溝に少なくとも部分的に配置された第２のリードを有する、請求項６に記載の埋め込み式電極アセンブリ。
【請求項１１】
前記溝は、前記第１の電極の周囲に延びる円周溝であり、前記リードは、
前記溝に嵌合し且つ前記第１の電極の周囲に少なくとも部分的に延びるように形成された成形弾性ワイヤを有する、請求項６に記載の埋め込み式電極アセンブリ。
【請求項１２】
前記リードは、前記第１の電極に溶接されている、請求項６に記載の埋め込み式電極アセンブリ。
【請求項１３】
前記リードは、少なくとも前記溝の近くの前記第１の電極の変形によって前記溝に保持されている、請求項６に記載の埋め込み式電極アセンブリ。
【請求項１４】
前記リードは、接着剤によって前記溝に保持されている、請求項６に記載の埋め込み式電極アセンブリ。
【請求項１５】
前記支持部材は、相補的な第２の部分に接合された第１の部分を有し、前記第２の部分は、前記第１の部分に面する少なくとも第１の成形溝を有し、前記リードは、少なくとも部分的に前記第１の成形溝に配置されている、請求項１に記載の埋め込み式電極アセンブリ。
【請求項１６】
前記支持部材の前記第１の部分及び前記第２の部分の少なくとも一つは、前記ケーブルを受け取られる隆起部分を有する、請求項１５に記載の埋め込み式電極アセンブリ。
【請求項１７】
前記第１の電極は電気溝を有し、前記支持部材は、第１の支持部材溝を有し、前記支持部材溝の少なくとも一部分は、前記電極溝に整列し、前記リードは、前記支持部材溝及び前記電気溝に少なくとも部分的に配置されている、請求項１に記載の埋め込み式電極アセンブリ。
【請求項１８】
前記ケーブル端部は、前記第１の電極と前記第２の電極の間の空間に位置決めされている、請求項１に記載の埋め込み式電極アセンブリ。
【請求項１９】
前記第１の電極は、患者に接触するように位置決めされた第１の表面及びこの第１の表面の反対側に位置決めされた第２の表面を有し、前記リードは、前記第１の表面及び前記第２の表面の間で前記第１の電極に接触する、請求項１に記載の埋め込み式電極アセンブリ。
【請求項２０】
前記第１の表面及び前記第２の表面は、２つのオフセットした平行面を形成する、請求項１９に記載の埋め込み式電極アセンブリ。
【請求項２１】
第１の電極は、さらに、少なくとも１つの開口を有し、前記リードは、少なくとも部分的に前記開口に配置されている、請求項１に記載の埋め込み式電極アセンブリ。
【請求項２２】
前記第１の電極は、さらに、第１の円筒形部分及び第２の円筒形部分を有し、前記第１の円筒形部分は、前記第１の表面に隣接して位置決めされ且つ第１の直径を有し、前記第２の円筒形部分は、前記第２の表面に隣接して位置決めされ且つ前記第１の直径よりも大きな第２の直径を有し、前記第１の電極は、さらに、前記第１の電極の前記第２の部分に形成された溝を有し、前記リードが、前記溝に少なくとも部分的に配置されている、請求項１に記載の埋め込み式電極アセンブリ。
【請求項２３】
さらに、第１の電位でバイアスを掛けることができる第１の端子と第２の電位でバイアスを掛けることができる第２の端子とを有するパルスシステムを有する刺激ユニットを有し、
前記第１の端子は、前記ケーブルを介して前記第１の電極に電気的に結合され、前記第２の端子は、前記ケーブルを介して前記第２の電極に結合されている、請求項１に記載の埋め込み式電極アセンブリ。
【請求項２４】
前記刺激ユニットは、埋め込み式ユニットである、請求項２３に記載の埋め込み式電極アセンブリ。
【請求項２５】
前記第１の端子は陽極電位を供給し、前記第２の端子は陰極電位を供給する、請求項２３に記載の埋め込み式電極アセンブリ。
【請求項２６】
前記刺激ユニットは、埋め込み式パルス発生器であり、ハウジング及びコントローラをさらに含み、前記パルスシステム及び前記コントローラは、前記ハウジングによって担持されている、請求項２３に記載の埋め込み式電極アセンブリ。
【請求項２７】
前記刺激ユニットは、人間に埋め込まれるように構成された埋め込み式パルス発生器であり、前記刺激ユニットは、さらに、前記パルスシステムに作動的に結合されてプログラム可能媒体を有するコントローラを含み、前記プログラム可能媒体は、前記第１の電極に前記第１の電位及び前記第２の電極に前記第２の電位で前記パルスシステムに同時に電気的にバイアスを掛けさせる命令を含んでいる、請求項２３に記載の埋め込み式電極アセンブリ。
【請求項２８】
前記支持部材は、ケーブルの長さに対して横方向の幅と、幅に対して横方向の長さとを有し、前記幅は前記長さよりも大きい、請求項１に記載の埋め込み式電極アセンブリ。
【請求項２９】
前記支持部材は、
前記支持部材の残りとの接合部でネックダウン領域を有する把持位置決め部分を有する、請求項１に記載の埋め込み式電極アセンブリ。
【請求項３０】
前記ケーブルと前記支持部材との間の接合部の近くの且つ前記支持部材から離間した前記ケーブルの一部分は成形された回旋状形状を有する、請求項１に記載の埋め込み式電極アセンブリ。
【請求項３１】
前記ケーブルと前記支持部材との間の取り付け点は、ケーブルが取り付けられる支持部材の側部に対してオフセットしている、請求項１に記載の埋め込み式電極アセンブリ。
【請求項３２】
リードは、前記第１の電極の近くで且つ前記電極から離間した成形された回旋状部分を有する、請求項１に記載の埋め込み式電極アセンブリ。
【請求項３３】
前記リードは、成形形状を有し、前記第１の電極とスナップ式に接触する、請求項１に記載の埋め込み式電極アセンブリ。
【請求項３４】
支持部材は、前記ケーブルが通されるカラーを有する、請求項１に記載の埋め込み式電極アセンブリ。
【請求項３５】
前記第１の電極は、少なくとも２つの第１の電極のうちの１つであり、リードは、前記２つの第１の電極に結合され、前記リードは、前記２つの第１の電極の間の湾曲経路を有する、請求項１に記載の埋め込み式電極アセンブリ。
【請求項３６】
前記リードは、前記第１の電極に結合され、前記リードは、前記第１の電極と前記ケーブルとの間の湾曲経路を有する、請求項１に記載の埋め込み式電極アセンブリ。